(57)【特許請求の範囲】
【請求項１】
遊技盤に装着された本体と、該本体に形成され前記遊技盤の前面側に前向きに開口する入賞口と、該入賞口から入賞した遊技球を前記本体内に誘導する誘導通路と、前記本体内に前記入賞口に対して前後方向に出退自在に設けられ且つ突出状態のときに遊技球を受けて前記入賞口へと案内する案内手段と、該案内手段を出退駆動する駆動手段とを有する入賞手段を備えた弾球遊技機において、前記案内手段の出退動作に連動して開閉し且つ該案内手段が後退したときに前記入賞口を閉じる開閉手段を、前記案内手段とは別に前記本体側に備え、前記開閉手段は前記本体に前記遊技盤の前面に沿って前記入賞口の開閉方向に移動自在に設けられ、且つ前記案内手段が後退したときに自重により前記入賞口の閉位置へと移動する開閉体を備え、前記案内手段と前記開閉体との一方に設けられたカム従動部と、該カム従動部に対応して前記案内手段と前記開閉体との他方に設けられ、且つ前記案内手段が前進したときに前記カム従動部を介して前記開閉体を前記入賞口の開放位置へと移動させ、前記案内手段が後退したときに前記開閉体を自重により前記入賞口の閉位置へと移動させるカム部とを有するカム機構を備えたことを特徴とする弾球遊技機。
【請求項２】
前記本体は前記入賞口が形成され且つ前記遊技盤の前面に当接する前飾り板を備え、前記開閉体は前記前飾り板の裏側で前後方向に支軸により揺動自在に枢支したことを特徴とする請求項１に記載の弾球遊技機。
【請求項３】
前記開閉体を前記入賞口の左右両側に一対設け、前記案内手段と前記各開閉体との間に、前記案内手段が前後進により前記各開閉体を逆方向に揺動させる前記カム機構を備えたことを特徴とする請求項１又は２に記載の弾球遊技機。
【請求項４】
前記本体は前記前飾り板から後方に突出する左右一対の摺動案内部と、該摺動案内部間に配置され且つ前記入賞口から入賞した遊技球を前記遊技盤の裏側へと案内する誘導板とを備え、前記案内手段は前記入賞口に対して前後方向に出退する球受け部と、該球受け部の左右両側から後方に突出して前記摺動案内部により前後方向に摺動自在に案内される左右一対の支持部とを備え、前記誘導板の後端から落下する遊技球を検出する入賞検出スイッチと、前記支持部の後端側で前記駆動手段の駆動により前記案内手段を操作する操作部材とを設けたことを特徴とする請求項２に記載の弾球遊技機。
【発明の詳細な説明】
【技術分野】
【０００１】
本発明は、パチンコ機等の弾球遊技機、取り分け案内手段が前後方向に出退する出退式の入賞手段を遊技盤に備えた弾球遊技機に関するものである。
【背景技術】
【０００２】
パチンコ機等の弾球遊技機は、遊技盤の遊技領域内に画像表示手段の他に各種の入賞手段を配置し、その入賞手段に遊技球が入賞したときに所定数の遊技球を払い出すようにしている。
【０００３】
入賞手段には、従来、案内手段が前後方向に出退する出退式のものがある（特許文献１）。この出退式の入賞手段は、遊技盤の前面に装着された本体に、遊技盤の前面側に前向きに開口する入賞口と、この入賞口から入賞した遊技球を遊技盤の裏側へと誘導する誘導通路とを設けると共に、突出状態のときに遊技球を受けて入賞口へと案内する案内手段を、入賞口に対して前後方向に出退するように本体内に設け、本体の裏側に装着されたソレノイド等の駆動手段により操作部材を介して案内手段を前後に出退させるようになっている。
【０００４】
また案内手段の前端の左右中央には、上向きに突出する突起状の球寄せ片が設けられ、案内手段上に落下した遊技球を球寄せ片の裏側の傾斜面で入賞口側へと寄せるようになっている。
【０００５】
この出退式の入賞手段は、通常、案内手段が本体内に後退して球寄せ片で入賞口を閉鎖した状態にある。遊技中に所定の作動条件を充足すると、駆動手段が操作部材を介して案内手段を突出方向に駆動し、案内手段が入賞口から遊技盤の前面へと突出すると共に入賞口を開放する。そして、遊技球が案内手段上に落下すると、その遊技球を受けて入賞口から誘導通路を経て遊技盤の裏側へと誘導する。その後、駆動手段が操作部材を介して案内手段を後退方向に駆動し、案内手段が入賞口から本体内へと後退して球寄せ片で入賞口を閉じる。
【特許文献１】登録実用新案第３０１７５５１号公報
【発明の開示】
【発明が解決しようとする課題】
【０００６】
従来の出退式の入賞手段では、案内手段の前端中央に上方に突出する突起状の球寄せ片があり、案内手段上に落下した遊技球をこの球寄せ片により入賞口側へと案内するようにしている。しかし、この球寄せ片があるため、案内手段が突出位置から後退位置へと後退する後退動作中に案内手段上に遊技球が落下した場合に、そのときの状況によっては球寄せ片と本体の前面との間で遊技球を噛み込み、案内手段が後退不能になるという問題がある。
【０００７】
本発明は、このような問題点に鑑み、案内手段の後退動作中にその上に遊技球が落下してきたときにも、遊技球を噛み込むことなく案内手段を円滑に後退させることができる弾球遊技機を提供することを目的とする。
【課題を解決するための手段】
【０００８】
本発明は、遊技盤に装着された本体と、該本体に形成され前記遊技盤の前面側に前向きに開口する入賞口と、該入賞口から入賞した遊技球を前記本体内に誘導する誘導通路と、前記本体内に前記入賞口に対して前後方向に出退自在に設けられ且つ突出状態のときに遊技球を受けて前記入賞口へと案内する案内手段と、該案内手段を出退駆動する駆動手段とを有する入賞手段を備えた弾球遊技機において、前記案内手段の出退動作に連動して開閉し且つ該案内手段が後退したときに前記入賞口を閉じる開閉手段を、前記案内手段とは別に前記本体側に備え、前記開閉手段は前記本体に前記遊技盤の前面に沿って前記入賞口の開閉方向に移動自在に設けられ、且つ前記案内手段が後退したときに自重により前記入賞口の閉位置へと移動する開閉体を備え、前記案内手段と前記開閉体との一方に設けられたカム従動部と、該カム従動部に対応して前記案内手段と前記開閉体との他方に設けられ、且つ前記案内手段が前進したときに前記カム従動部を介して前記開閉体を前記入賞口の開放位置へと移動させ、前記案内手段が後退したときに前記開閉体を自重により前記入賞口の閉位置へと移動させるカム部とを有するカム機構を備えたものである。
【発明の効果】
【０００９】
本発明によれば、案内手段３４の後退動作中にその上に遊技球が落下してきたときにも、その遊技球を噛み込むことなく案内手段３４を円滑に後退させることができる利点がある。
【発明を実施するための最良の形態】
【００１０】
以下、本発明の実施形態を図面に基づいて詳述する。図１〜図８は本発明をパチンコ機に採用した第１の実施形態を例示している。図１において、１は遊技機本体で、矩形状の外枠２と、この外枠２の前側にヒンジ３廻りに開閉自在に枢着された前枠４とを備えている。
【００１１】
前枠４の下部には左端のヒンジ５廻りに開閉自在な開閉扉６と、発射手段を作動させるための発射ハンドル７と、開閉扉６の前面に装着され且つ発射手段へと発射用の遊技球を供給する球供給皿８等が設けられている。前枠４には開閉扉６の上側に左端のヒンジ５廻りに開閉自在なガラス扉９が配置され、またガラス扉９の裏側に遊技盤装着枠を介して遊技盤１０（図２参照）が前側から着脱自在に装着されている。
【００１２】
ガラス扉９は遊技盤１０を前面側から覆い、また窓孔１２内のガラス板１２ａを介して遊技盤１０の遊技領域１１（図２参照）を透視可能になっている。開閉扉６、ガラス扉９は前枠４のヒンジ３と略同一軸心上に配置されたヒンジ５により開閉自在である。
【００１３】
遊技盤１０の前面側には、図２に示すように、発射手段からの遊技球を遊技領域１１の上部側へと案内するガイドレール１３が装着されると共に、その遊技領域１１内に液晶表示手段等の画像表示手段１４、普通図柄表示手段１５、特別図柄表示手段１６、普通図柄始動手段１７、特別図柄始動手段１８，１９、大入賞手段２０、普通入賞手段２１等の各種の遊技部品が装着されている。
【００１４】
画像表示手段１４は遊技盤１０に装着された表示ケース２２と、この表示ケース２２に裏側から装着された画像表示部２３とを有し、その画像表示部２３の表示画面には、特別図柄始動手段１８，１９の遊技球の検出を条件に所定時間変動して停止する３個の演出図柄２４を表示する等、各種の演出画像を表示するようになっている。
【００１５】
普通図柄表示手段１５は保留個数表示手段２５と近接して表示ケース２２に装着された２個の表示素子１５ａ，１５ｂを備え、普通図柄始動手段１７の遊技球の検出を条件に表示素子１５ａ，１５ｂが所定時間交互に点滅発光し、その一方の表示素子１５ａが発光状態で停止したときに当たりとなり、一方の表示素子１５ｂが発光状態で停止したときに外れとなる。
【００１６】
特別図柄表示手段１６は、保留個数表示手段２６と近接して表示ケース２２に装着された７セグメント式等の表示手段により構成され、特別図柄始動手段１８，１９の遊技球の検出を条件に特別図柄を所定時間変動表示し、変動後に特別図柄が大当たり図柄、外れ図柄の何れかで停止するようになっている。なお、演出図柄２４は特別図柄と同期して停止するようになっており、特別図柄が大当たり図柄で停止したときには３個が一致又は同種の大当たり図柄を停止表示し、外れ図柄で停止したときには外れ図柄を停止表示する。
【００１７】
普通図柄始動手段１７はガイドレール１３と画像表示手段１４との間に配置されており、遊技球の検出を条件に普通図柄表示手段１５の普通図柄を所定時間変動させるようになっている。
【００１８】
特別図柄始動手段１８は常開式であって、画像表示手段１４とその下側の大入賞手段２０との間に配置されている。特別図柄始動手段１９は出退開閉式であって、ガイドレール１３と反対側で画像表示手段１４の側方に配置されている。特別図柄始動手段１８，１９は遊技球の入賞を条件に特別図柄表示手段１６の特別図柄、画像表示手段１４の演出図柄２４を夫々所定時間変動させるようになっている。
【００１９】
大入賞手段２０は開閉板２７を有し、変動後の特別図柄表示手段１６の特別図柄が大当たり図柄で停止する大当たりが発生したときに開閉板２７が前側に所定回数開放して、上側から落下する遊技球を大入賞口２８へと案内するようになっている。
【００２０】
特別図柄始動手段１９は出退開閉式の入賞手段により構成されており、図３〜図７に示すように、遊技盤１０の前面に装着された本体２９と、本体２９の前側に装着され且つ本体２９との間に上下方向の遊技球の落下通過３０を形成する前カバー３１と、本体２９の前面側に形成され且つ遊技盤１０の前面側である落下通路３０側に向かって前向きに開口する入賞口３２と、本体２９内に入賞口３２に連通して前後方向に形成され且つ入賞口３２から入賞した遊技球を遊技盤１０の裏側へと誘導する誘導通路３３と、入賞口３２に対して前後方向に出退自在に本体２９内に設けられ且つ入賞口３２から落下通路３０内に突出する突出状態のときに遊技盤１０の前側で遊技球を受けて入賞口３２へと案内する案内手段３４と、操作部材３５を介して案内手段３４を前後方向に出退駆動する駆動手段３６と、案内手段３４の出退動作に連動して開閉し且つ案内手段３４が後退したときに入賞口３２を閉じる開閉手段３７と、入賞口３２から入賞した遊技球を検出する入賞検出スイッチ３８とを備えている。
【００２１】
なお、この特別図柄始動手段１９は、普通図柄表示手段１５の変動後の普通図柄が当たり図柄を表示した場合に、駆動手段３６の駆動により案内手段３４が突出して入賞口３２を所定時間開放し、またその入賞検出スイッチ３８が入賞口３２から入賞した遊技球を検出したときに特別図柄表示手段１６の特別図柄、画像表示手段１４の演出図柄２４を夫々変動させるようになっている。
【００２２】
本体２９は前部枠４０と中間枠４１と後部枠４２とを前後方向に当接させて直列状に接続することにより構成されている。前部枠４０は遊技盤１０の前面に当接する前飾り板４３と、前飾り板４３の裏側から後方に突出する周壁部４４とを備えている。
【００２３】
入賞口３２の左右両側の下部には、前部枠４０、中間枠４１及び後部枠４２に跨がって左右一対のレール状の摺動案内部４５が前後方向に設けられている。なお、摺動案内部４５は前飾り板４３から周壁部４４を経て後方に突出するように前部枠４０のみに一体に設けてもよいし、前部枠４０と中間枠４１とに跨がって設けてもよい。
【００２４】
前部枠４０には入賞口３２の下縁側に一対の摺動案内部４５間の前部側下部に配置され且つ入賞口３２から入賞した遊技球を遊技盤１０の裏側へと案内する誘導板４６と、誘導板４６の下側に裏側から凹入状に形成されたスイッチ保持部４７とが前飾り板４３及び周壁部４４に一体に設けられている。
【００２５】
誘導板４６は誘導通路３３を形成するもので、後部側が後方に低く傾斜しており、その後端側から遊技盤１０の裏側へと遊技球を落下させるようになっている。入賞検出スイッチ３８は誘導板４６の後端から落下する遊技球が通過孔３８ａを通過するように、スイッチ保持部４７に裏側から前後方向に挿脱自在に挿入され、その後端に当接する後部枠４２の押え部４８で抜け止めされている。
【００２６】
前カバー３１は落下通路３０の左右両側に一対の側壁部４９を一体に備え、その側壁部４９が前飾り板４３の前面に当接して、前飾り板４３の裏側から挿入されたネジ等により前飾り板４３に固定されている。なお、前カバー３１があれば入賞口３２の前側に制限された落下通路３０を形成できるが、落下通路３０は必ずしも制限されたものである必要はなく、この前カバー３１は省略してもよい。入賞口３２は前飾り板４３の略中央に前後方向に貫通状に設けられている。
【００２７】
案内手段３４は前後両側が開放し且つ入賞口３２に対して前後方向に出退する球受け部５０と、この球受け部５０の左右両側から後方に突出し且つ外側の摺動部５１を介して各摺動案内部４５により案内される左右一対の支持部５２とを有し、球受け部５０が入賞口３２よりも前側の落下通路３０内に突出する突出位置Ａ（図６の二点鎖線位置）と、球受け部５０が入賞口３２よりも後方に後退する後退位置Ｂ（図６の実線位置）との間で前後方向に摺動自在である。
【００２８】
なお、案内手段３４は球受け部５０とその左右両側の支持部５２とにより樋状に形成されているが、球受け部５０の前側が開放状であって、この球受け部５０上に落下する遊技球を入賞口３２側へと案内できる形状であれば、球受け部５０の左右方向の中央部が低くなるＶ溝状、その他の形状でもよい。また摺動部５１は摺動自在に嵌合する摺動案内部４５との間の接触面積が極力少なくなるように、上下両面に前後方向に沿って突条５１ａ，５１ｂが、外側面に上下方向の突条５１ｃが夫々形成されている。
【００２９】
中間枠４１は左右一対の側板５３と底板５４とを有し、各側板５３の外側の取り付け部５５が前部枠４０の前飾り板４３の裏側に突出するボス部５６に螺合するネジ等の固定具により着脱自在に固定されている。中間枠４１には底板５４の下側に一対の摺動案内部４５が設けられると共に、その摺動案内部４５間に誘導通路３３の後端側を閉鎖する閉鎖板５７が底板５４から下方に突出して設けられている。また中間枠４１には底板５４の上側で一対の側板５３間に駆動手段３６を構成するソレノイド５８が固定されている。ソレノイド５８は後ろ向きに突出する前後方向のプランジャー５９を有し、そのプランジャー５９の後端に係合具６０が着脱自在に設けられている。なお、プランジャー５９はバネ６１により突出方向に付勢されている。
【００３０】
操作部材３５は上端側で左右方向の横軸６３廻りに前後方向に揺動自在に枢支されると共に、下端のＵ字状の係合部６４が案内手段３４の後端の被係合部６５に係合され、また上下方向の中間の突起６６に係合具６０の係合部６７が係合されている。横軸６３は一端が中間枠４１の一方の側板５３の後端側に形成された枢支孔６８に挿入されると共に、他端が他方の側板５３の後端側に形成された枢支凹部６９に挿入され、裏側から当接する後部枠４２との間で保持されている。
【００３１】
後部枠４２は操作部材３５、係合具６０等を覆うカバー部７１と、その下側に形成された左右一対の摺動案内部４５とを備え、左右両側の取り付け部７２が中間枠４１の側板５３の外側のボス部７４に螺合するネジ等の固定具により固定されている。
【００３２】
開閉手段３７は前飾り板４３の裏側近傍で入賞口３２の左右両側に配置された左右一対の開閉体７５を備え、この各開閉体７５と案内手段３４との間に、案内手段３４の出退動作に連動して開閉体７５を開閉方向に移動させる連動機構７６が設けられている。
【００３３】
各開閉体７５は入賞口３２の左右両側の上部で前飾り板４３から突出する前後方向の支軸８１により開閉方向に移動自在に枢支されており、前飾り板４３の裏側に沿って配置された板状等の開閉部７７と、この開閉部７７の裏側に偏心して形成され且つ支軸８１が挿通されるボス部７８と、開閉部７７の裏側でボス部７８の反対側にボス部７８及び支軸８１廻りの略円弧状に形成された突出部７９とを備え、自重、即ち開閉部７７、突出部７９等の重量により支軸８１廻りに入賞口３２の閉方向に付勢されている。開閉体７５は円形の一部を切断した平坦部８０を有し、入賞口３２の開放時にはその平坦部８０が入賞口３２側に対応する。なお、開閉体７５は三角形、その他の形状にして、支軸８１により揺動自在に枢支してもよい。
【００３４】
連動機構７６はカム機構８２により構成されている。カム機構８２は各開閉体７５の突出部７９の案内手段３４側に形成されたカム部８３と、この各カム部８３に対応して案内手段３４の支持部５２に設けられたカム従動部８４とを備えている。カム部８３は突出部７９に前後方向及び周方向に傾斜して螺旋方向、その他の斜め方向に形成されている。案内手段３４の支持部５２は開閉体７５の突出部７９の下側近傍を前後方向に移動自在であり、この支持部５２の前後方向の中間にカム従動部８４が上側に突出して設けられている。
【００３５】
そして、このカム機構８２は案内手段３４が後退位置Ｂから突出位置Ａへと移動する突出動作時に、カム従動部８４が開閉体７５のカム部８３を摺動して開閉体７５をその自重に抗して支軸８１廻りに開方向に揺動させ、また突出位置Ａから後退位置Ｂへと移動する後退動作時に、開閉体７５をその自重により閉方向に揺動させるようになっている。。
【００３６】
上記構成のパチンコ機において、特別図柄始動手段１９は図６に実線で示すように案内手段３４が後退位置Ｂにあり、開閉手段３７の開閉体７５がその開閉部７７で入賞口３２を閉じている。
【００３７】
遊技領域１１の上部から落下する遊技球が普通図柄始動手段１７を通過すると、普通図柄表示手段１５の普通図柄が点滅して所定時間変動する。そして、変動後の普通図柄が当たり図柄で停止すれば、特別図柄始動手段１９の案内手段３４が突出位置Ａへと突出し、またカム機構８２を介して開閉手段３７の開閉体７５が開方向に揺動して入賞口３２が開放される。
【００３８】
即ち、普通図柄が当たり図柄で停止すれば、ソレノイド５８が励磁してプランジャー５９がバネ６１に抗して図６のａ矢示方向に移動し、操作部材３５が横軸６３廻りに図６のｂ矢示方向に揺動するため、案内手段３４が摺動案内部４５と摺動部５１とにより案内されながら後退位置Ｂから突出位置Ａへと図６のｃ矢示方向に摺動して、図８に示すようにその球受け部５０が落下通路３０内に突出する。
【００３９】
一方、案内手段３４が後退位置Ｂにあるときには、一対の開閉体７５はその自重により入賞口３２を閉じているが、案内手段３４がｃ矢示方向に前進すると、支持部５２のカム従動部８４が開閉体７５のカム部８３に当接し、カム従動部８４とカム部８３との協働作用により、開閉体７５がその自重に抗しながら支軸８１廻りに左右両側に開方向（図６のｄ矢示方向）へと揺動して、図５に二点鎖線で示すように入賞口３２を開放する。
【００４０】
その後、前カバー３１の上側の開口から落下通路３０内に遊技球が入ると、その遊技球を案内手段３４の球受け部５０で受けて入賞口３２へと案内する。入賞口３２に入賞した遊技球は誘導通路３３の誘導板４６を経て遊技盤１０の裏側へと誘導され、誘導板４６の後端から下方に落下し、入賞検出スイッチ３８がその遊技球の入賞を検出する。
【００４１】
この入賞検出スイッチ３８の遊技球の検出によって主制御基板（図示省略）で大当たり、外れの抽選が行なわれ、その抽選結果に応じて演出制御基板（図示省略）の制御により、特別図柄表示手段１６の特別図柄が所定時間変動して大当たり図柄、外れ図柄の何れかで停止する。また演出制御基板の制御により、特別図柄表示手段１６の特別図柄の変動等に同期して画像表示手段１４の演出図柄２４が所定時間変動して、大当たり図柄、外れ図柄に対応する演出図柄２４で停止する。そして、抽選結果が大当たりの場合には、特別図柄が大当たり図柄で停止した後に大入賞手段２０が所定回数開閉する等、遊技者に有利な特別遊技に移行する。
【００４２】
特別図柄始動手段１９の開放後に所定時間が経過すると、ソレノイド５８が消磁してプランジャー５９がバネ６１により後方へと反ａ矢示方向に突出し、操作部材３５が横軸６３廻りに反ｂ矢示方向へと回動するため、案内手段３４が突出位置Ａから反ｃ矢示方向に摺動し、図６に示すようにその球受け部５０が入賞口３２よりも裏側に位置する後退位置Ｂまで後退する。
【００４３】
また案内手段３４が反ｃ矢示方向に後退すると、カム部８３を介して開閉体７５を開位置に支持していたカム従動部８４が反ｃ矢示方向に後退するため、カム部８３とカム従動部８４との協働作用と開閉体７５の自重とにより、開閉体７５が支軸８１廻りに反ｄ矢示方向に回動して、左右一対の開閉体７５がその開閉部７７により入賞口３２を閉じる。
【００４４】
案内手段３４が後退動作を開始した後に落下通路３０内に入った遊技球が球受け部５０上に乗った場合には、案内手段３４の後退動作に連動して一対の開閉体７５が入賞口３２を閉じるため、その遊技球は開閉体７５により規制された状態で球受け部５０上に一時的に止まることがあっても、前側が開放状の球受け部５０の前端から下方へと落下する。
【００４５】
従って、このように案内手段３４に連動して開閉体７５により入賞口３２を開閉する開閉手段３７を設けることによって、従来のように球受け部５０の前端に球寄せ片等の突起物を設ける必要がなく、案内手段３４が後退動作を開始した後に球受け部５０上に遊技球が乗るようなことがあっても、その遊技球の噛み込みを確実に防止することができる。
【００４６】
また左右一対の開閉体７５は、この開閉体７５と案内手段３４との間に設けたカム機構８２により案内手段３４の後退動作に連動させているので、機構的にも比較的簡単であると同時に、案内手段３４に連動して各開閉体７５を円滑に開閉方向に移動させることができる。しかも開閉体７５は入賞口３２の裏側近傍で前後方向の支軸８１により揺動又は回動自在に枢支しているので、開閉体７５が上下方向、左右方向に開閉移動する場合に比較して、開閉体７５自体を簡単な構造で開閉方向に移動可能に支持でき、また開閉体７５自体の開閉移動も円滑にすることができる。
【００４７】
しかも案内手段３４と各開閉体７５とを連動させる連動機構７６はリンク、ギヤー等を利用することも可能であるが、前後方向に移動する案内手段３４の左右両側に上側に突出するカム従動部８４を設け、開閉体７５の支軸８１を中心とする突出部７９にカム部８３を設けることにより、カム機構８２自体の構造も簡単にすることができる。
【００４８】
図９、図１０は本発明の第２の実施例を例示する。この実施例では、入賞口３２の上側に前飾り板４３から後方に突出する前後方向の支軸８１が１個設けられ、この支軸８１により１個の開閉体７５が開閉方向に揺動自在に枢支されている。開閉体７５にはその開閉部７７の下端縁の裏側に支軸８１を中心とする円弧状の突出部７９が形成され、その突出部７９に沿ってカム部８３が設けられている。開閉体７５は自重、錘又はバネ等で入賞口３２を閉じるように閉方向に付勢されている。なお、バネを使用する場合には、開閉体７５を入賞口３２の閉位置で規制するストッパーを設けることが望ましい。他の構成は第１の実施例と同様である。
【００４９】
このように開閉手段３７は揺動式の１個の開閉体７５により入賞口３２を開閉するようにしてもよい。この場合、支軸８１は入賞口３２の上側であれば、左右方向の略中央の他、左右方向の一方側に偏位させて配置してもよい。
【００５０】
図１１、図１２は本発明の第３の実施例を例示する。この実施例では、開閉体７５は前飾り板４３の裏側で左右一対の案内部８７により上下動自在に支持され、その上下動により入賞口３２を開閉するようになっており、その開閉体７５を案内手段３４の左右両側のカム部８３により操作するようになっている。
【００５１】
例えば開閉体７５は左右方向の棒状又は板状であって、その両端部が前飾り板４３の裏側の左右一対の案内板８９に形成された長孔等の案内部８７により上下動自在に支持され、入賞口３２を開く上昇位置（実線位置）と閉じる下降位置（二点鎖線位置）との間で昇降自在である。案内手段３４の左右の支持部５２には、後ろ上がりに傾斜するカム部８３が設けられ、一方、開閉体７５のカム部８３に対応する部分がカム従動部８４となっている。
【００５２】
このように開閉体７５は、その昇降動作により入賞口３２を開閉するようにしてもよい。この場合、開閉体７５は棒状の他、板状に構成してもよい。
【００５３】
図１３、図１４は本発明の第４の実施例を例示する。この実施例では、案内手段３４は球受け部５０の前端に、上向きに突出する低い球寄せ部８８を備えている。この球寄せ部８８は案内手段３４が後退しながら開閉手段３７が入賞口３２を閉じたときに、開閉手段３７により規制された遊技球が球寄せ部８８を前側に乗り越える程度の高さである。このように案内手段３４が後退するときに、球受け部５０上の遊技球が前側に乗り越える程度の低い球寄せ部８８であれば、球受け部５０上に球寄せ部８８を設けてもよい。
【００５４】
以上、本発明の各実施例について詳述したが、本発明はこの各実施例に限定されるものではなく、本発明の趣旨を逸脱しない範囲で種々の変更が可能である。実施例では出退式の入賞手段として特別図柄始動手段１９を例示しているが、特別図柄始動手段１９以外の入賞手段にも採用することができる。
【００５５】
開閉手段３７は案内手段３４の出退動作に連動して案内手段３４が後退したときに入賞口３２を閉じるように案内手段３４とは別に本体２９側に設けておけば良い。例えば、開閉体７５が入賞口３２を開閉するときの開閉形式は、棒状等の開閉体７５が入賞口３２に対して上側又は下側から出退するようにしてもよいし、開閉体７５が入賞口３２に対して左右方向の一方又は両側から出退するようにしてもよい。その場合、開閉体７５は円弧運動、直線運動の何れで出退してもよい。
【００５６】
開閉体７５と案内手段３４とを連動させる連動機構７６は構造的にカム機構８２が簡単で製作も容易であるが、開閉体７５と案内手段３４をリンク機構、ラック・ピニオン機構、クランク機構等で連動させてもよい。案内手段３４は入賞口３２に対して前後方向に出退自在であれば十分であり、実施例に例示するように前後方向に直線運動してもよいし、誘導通路３３の上側又は下側を中心に前後方向に円弧運動するようにしてもよい。案内手段３４は樋状のものが一般的であるが、前後方向に長いレール状の部材を左右に所定の間隔を一対設けたもの等でもよい。
【００５７】
本体２９は前飾り板４３、誘導板４６を有する前部枠４０と中間枠４１と後部枠４２とを前後方向に直列状に接続して構成し、その前部枠４０と中間枠４１と後部枠４２とに跨がって左右一対の摺動案内部４５を前後方向に設けているが、中間枠４１にその前後に突出する摺動案内部４５を設けてもよい。また本体２９の前後方向の分割数は３個の他、２個、４個等でもよい。
【００５８】
駆動手段３６はソレノイド５８以外のもの、例えばモータにより構成してもよい。またソレノイド５８を駆動手段３６として使用する場合には、プランジャー５９を上下方向に向けて配置し、そのプランジャー５９と案内手段３４とを、中間部が横軸６３で枢支されたベルクランク等の操作部材３５を用いて連動させてもよい。また駆動手段３６にモータを使用する場合には、モータの出力軸と案内手段３４とをラック・ピニオン機構、クランク機構等の操作部材３５を用いて連動させてもよい。
【図面の簡単な説明】
【００５９】
【図１】本発明の第１の実施例を示すパチンコ機全体の斜視図である。
【図２】同遊技盤の正面図である。
【図３】同特別図柄始動手段の斜視図である。
【図４】同特別図柄始動手段の分解斜視図である。
【図５】同特別図柄始動手段の取り付け状態の変則正面断面図である。
【図６】同特別図柄始動手段の側面断面図である。
【図７】同特別図柄始動手段の変則平面断面図である。
【図８】同特別図柄始動手段の開状態の側面断面図である。
【図９】本発明の第２の実施例を示す特別図柄始動手段の背面断面図である。
【図１０】同開閉体の斜視図である。
【図１１】本発明の第３の実施例を示す特別図柄始動手段の側面断面図である。
【図１２】同特別図柄始動手段の背面断面図である。
【図１３】本発明の第４の実施例を示す特別図柄始動手段の側面断面図である。
【図１４】同案内手段の斜視図である。
【符号の説明】
【００６０】
１０  遊技盤
２９  本体
３２  入賞口
３３  誘導通路
３4   案内手段
３５  操作部材
３６  駆動手段
３７  開閉手段
７５  開閉体
７６  連動機構
８２  カム機構
４３  前飾り板
８７  摺動案内部
４６  誘導板
５０  球受け部
５２  支持部
３８  入賞検出スイッチ
８１  支軸
８３  カム部
８４  カム従動部
【図１】
0004809861.tif 000002
【図２】
0004809861.tif 000003
【図３】
0004809861.tif 000004
【図４】
0004809861.tif 000005
【図５】
0004809861.tif 000006
【図６】
0004809861.tif 000007
【図７】
0004809861.tif 000008
【図８】
0004809861.tif 000009
【図９】
0004809861.tif 000010
【図１０】
0004809861.tif 000011
【図１１】
0004809861.tif 000012
【図１２】
0004809861.tif 000013
【図１３】
0004809861.tif 000014
【図１４】
0004809861.tif 000015